Podtech/llm-jp-corpus-v4-ja_patent huggingface dataset:
【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
試料の測定領域に光を照射して前記測定領域からの光のスペクトル情報を取得する共焦点顕微装置であって、
前記測定領域に光を照射する試料照射手段と、
前記測定領域内に焦点面を合わせて配置された対物レンズと、
前記対物レンズにより集光された光を結像する結像レンズと、
前記結像レンズの結像面上に配置された複数の開孔を有するアパーチャーと、
前記複数の開孔を通過した光を検出し、各開孔の通過光のスペクトル情報を取得するスペクトル取得手段と、を備え、
前記アパーチャーの複数の開孔は線状に配列されており、
前記試料照射手段は、前記線状の複数の開孔に対応する前記試料上の複数点をそれぞれ点状に照射する多点照射手段であることを特徴とする共焦点顕微装置。
【請求項２】
請求項１記載の共焦点顕微装置において、前記多点照射手段は、
複数の点光源を有する多点光源と、
前記複数の点光源からの光をそれぞれ平行光束にする平行光生成レンズと、
前記対物レンズと前記結像レンズの間に配置された光束分割素子と、を有し、
前記光束分割素子は、前記平行光生成レンズからの各平行光束を反射して前記対物レンズ側に反射するとともに、前記対物レンズからの光の一部を透過するものであることを特徴とする共焦点顕微装置。
【請求項３】
請求項１または２記載の共焦点顕微装置において、前記スペクトル取得手段は、
前記複数の開孔の各通過光を光学的に平行光束にする平行光生成部と、
前記平行光束を波長ごとに分散する分散部と、
前記分散された光を受光する多素子型の２次元アレイ検出部と、を有し、
前記分散された光の波長ごとの光路を含む面を分散面とすると、前記複数の開孔の通過光ごとに生成される平行光束の分散面が互いに平行となるように、前記アパーチャーに対する前記分散部の姿勢が定められていることを特徴とする共焦点顕微装置。
【請求項４】
請求項３記載の共焦点顕微装置において、さらに、前記線状に配列された複数の開孔に対応する前記試料上の複数点に対して、これら複数点の配列方向に直交する方向に前記試料を移動する可動ステージを備えることを特徴とする共焦点顕微装置。
【手続補正２】
【補正対象書類名】明細書
【補正対象項目名】０００８
【補正方法】変更
【補正の内容】
【０００８】
前記目的を達成するために本発明にかかる共焦点顕微装置は、
試料の測定領域に光を照射して前記測定領域からの光のスペクトル情報を取得する共焦点顕微装置であって、
前記測定領域に光を照射する試料照射手段と、
前記測定領域内に焦点面を合わせて配置された対物レンズと、
前記対物レンズにより集光された光を結像する結像レンズと、
前記結像レンズの結像面上に配置された複数の開孔を有するアパーチャーと、
前記複数の開孔を通過した光を検出し、各開孔の通過光のスペクトル情報を取得するスペクトル取得手段と、を備え、
前記アパーチャーの複数の開孔は線状に配列されており、
前記試料照射手段は、前記線状の複数の開孔に対応する前記試料上の複数点をそれぞれ点状に照射する多点照射手段であることを特徴とする。
【手続補正３】
【補正対象書類名】明細書
【補正対象項目名】００１０
【補正方法】変更
【補正の内容】
【００１０】
このように、マルチアパーチャーが複数の開孔を有することによって、各開孔と１対１で対応する試料の微小部位からの光が、それぞれ対応する開孔位置で結像することになり、開孔の数に対応する試料の複数の微小部位からの光が、それぞれシングルアパーチャーと同じ空間分解能で検出されることになる。これらの開孔を通過した光をそれぞれ検出して、各開孔の通過光のスペクトル情報を得て、コンピューターにて画像として再構成することにより、試料の所定の測定領域についての分布測定を高分解能かつ高速に実行することができる。なお、必ずしも結像レンズの焦点位置に開孔が配置されている必要は無く、結像レンズの焦点面上に複数の開孔が配置されていれば足りる。
【手続補正４】
【補正対象書類名】明細書
【補正対象項目名】００１１
【補正方法】変更
【補正の内容】
【００１１】
また本発明において、前記スペクトル取得手段は、
前記複数の開孔の各通過光を光学的に平行光束にする平行光生成部と、
前記平行光束を波長ごとに分散する分散部と、
前記分散された光を受光する多素子型の２次元アレイ検出部と、を有し、
前記分散された光の波長ごとの光路を含む面を分散面とすると、前記複数の開孔の通過光ごとに生成される平行光束の分散面が互いに平行となるように、前記アパーチャーに対する前記分散部の姿勢が定められていることが好適である。
【手続補正５】
【補正対象書類名】明細書
【補正対象項目名】００１２
【補正方法】変更
【補正の内容】
【００１２】
このような構成によれば、線状配列された複数の開孔の通過光が、平行光生成部で互いに平行な平行光束になって分散部に入射する。そして分散部で分散されたそれぞれの光束の分散面が、互いに平行になる状態で、２次元アレイ検出部に受光される。その結果、各開孔の通過光は、それぞれ高い空間解像度を保ったまま、他の開孔の通過光から独立した状態で、２次元アレイ検出部に受光され、波長ごとの光強度が検出されることになる。すなわち、複数の開孔に対応する複数のスペクトル情報が、スペクトルの質が落ちることなく一度に出力され、試料の複数の微小部位からの光のスペクトル情報を高い品質で、まとめて取得することができる。
【手続補正６】
【補正対象書類名】明細書
【補正対象項目名】００１３
【補正方法】変更
【補正の内容】
【００１３】
また本発明において、さらに、前記線状に配列された複数の開孔に対応する前記試料上の複数点に対して、これら複数点の配列方向に直交する方向に前記試料を移動する可動ステージを備えることが好適である。
このような構成によれば、複数の開孔を線状配列したマルチアパーチャーおよび２次元アレイ検出部を用いれば、線状に分布する試料の複数点からの光のスペクトル情報を取得できるので、さらに、可動ステージによる試料の移動位置ごとにスペクトル情報を取得することによって、面単位でスペクトル情報を取得することができる。
【手続補正７】
【補正対象書類名】明細書
【補正対象項目名】００１４
【補正方法】変更
【補正の内容】
【００１４】
ここで、前記多点照射手段は、例えば、複数の点光源を有する多点光源と、前記複数の点光源からの光をそれぞれ平行光束にする平行光生成レンズと、前記対物レンズと前記結像レンズの間に配置された光束分割素子と、を有し、前記光束分割素子は、前記平行光生成レンズからの各平行光束を反射して前記対物レンズ側に反射するとともに、前記対物レンズからの光の一部を透過するものであることが好ましい。
【手続補正８】
【補正対象書類名】明細書
【補正対象項目名】００１５
【補正方法】変更
【補正の内容】
【００１５】
これらの構成によれば、光源からの光ビームを使って試料を多点照射することができるので、複数の開孔に対応する試料上の複数点が線状に分布している場合には、多点照射によってこれらの複数点を効率的に照射することができる。その結果、光ビームの利用効率が高めるだけでなく、必要以上に試料に光ビームを照射して試料を損傷してしまうことを抑制することができる。
【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
１つの光軸に沿って互いに向かい合う方向に光を出力する２つの光源と、
該２つの光源の間に配置され、これら光源から出力された光が照射されることにより該光とは異なる波長の光を発生する波長変換素子と、
該波長変換素子と一方の前記光源との間に配置され、該一方の光源からの光を透過させるとともに前記波長変換素子において発生した光のうち前記一方の光源側に散乱した光を前記波長変換素子の方向に前記光軸と平行に折り返す第１の光学部材と、
前記波長変換素子と他方の前記光源との間に配置され、該他方の光源からの光を透過させるとともに、前記波長変換素子において発生した光のうち前記他方の光源側に散乱した光および前記第１の光学部材によって折り返されてきた光を前記光軸に交差する方向に偏向する第２の光学部材とを備える光源装置。
【請求項２】
前記波長変換素子が、前記光源から出力された光によって励起される蛍光体または量子ドットを有している請求項１に記載の光源装置。
【請求項３】
前記波長変換素子と前記第１の光学部材との間に配置され、前記波長変換素子から前記一方の光源側に散乱した光を平行光にする第１のコリメート光学系と、
前記波長変換素子と前記第２の光学部材との間に配置され、前記波長変換素子から前記第２の光源側に散乱した光を平行光にする第２のコリメート光学系とを備える請求項１または請求項２に記載の光源装置。
【請求項４】
前記第１のコリメート光学系および第２のコリメート光学系のうち少なくとも一方が、コリメートレンズまたはロッドインテグレータを備える請求項３に記載の光源装置。
【請求項５】
前記波長変換素子、前記第１のコリメート光学系および第２のコリメート光学系が、前記光軸上に直列に複数組備えられ、
各組の前記波長変換素子が、互いに異なる色の光を発生する請求項３または請求項４に記載の光源装置。
【請求項６】
前記第２の光学部材の該第２の光学部材による光の偏向方向とは反対側に配置され、前記第２の光学部材によって偏向される光と同一の光軸に沿って光を出力するもう１つの光源を備え、
前記第２の光学部材が、前記もう１つの光源から出力された光も透過させる請求項１から請求項５のいずれかに記載の光源装置。
【請求項７】
前記光軸に沿う方向にまたは前記光軸に交差する方向に配列されて前記光源からの光が共に照射されるとともに、互いに異なる色の光を発生する複数の前記波長変換素子を備える請求項１から請求項６のいずれかに記載の光源装置。
【請求項８】
前記２つの光源、波長変換素子、第１の光学部材および第２の光学部材が、該第２の光学部材によって偏向された光の光軸を共通として並列に複数組備えられている請求項１から請求項７のいずれかに記載の光源装置。
【手続補正書】
【提出日】平成27年7月9日(2015.7.9)
【手続補正１】
【補正対象書類名】明細書
【補正対象項目名】００２２
【補正方法】変更
【補正の内容】
【００２２】
Ｓ１０６では、制御回路３２は、タイマを停止させて、タイマ値を読み出し、位相差（時間差）データとして、読み出したタイマ値をモータ回転速度補正テーブルに書き込む。Ｓ１０７では、制御回路３２は、所定の時間毎に、エンコーダ３１からドラム軸２９の回転速度データを読み出し、回転ムラがない場合のドラム軸２９の回転速度（設計上の回転速度）との差分を算出する。制御回路３２は、算出された差分データをドラム軸２９の回転ムラである感光ドラム１の回転ムラを補正するデータとして、Ｓ１０６での位相差（時間差）データと対応付けて、時系列にモータ回転速度補正テーブルに書き込む。なお、回転ムラを補正するデータは、設計上の回転速度との差分データであってもよいし、今回の測定データと前回の測定データにおける設計上の回転速度との差分における差分の変化データであってもよい。また、エンコーダ３１から読み出した回転速度データをそのままモータ回転速度補正テーブルに保存し、後述するドラムモータ２６の回転制御時に、回転ムラを補正するデータを算出する方法でもよい。Ｓ１０８では、制御回路３２は、ドラムギアセンサ２７において検知片２３が検知されたかどうかを判断する。制御回路３２は、ドラムギアセンサ２７からの検知信号が入力された場合には、検知片２３が検知されたと判断してＳ１０９に進み、検知信号が入力されない場合には、Ｓ１０７の処理を繰り返す。Ｓ１０９では、制御回路３２は、ドラムギアセンサ２７による検知片２３の検知が、Ｓ１０３における１回目の検知から数えて２３回目かどうかを判断し、２３回目でなければＳ１０４の処理に戻り、２３回目であればＳ１１０に進む。Ｓ１１０では、制御回路３２は、モータ回転速度補正テーブルをメモリ３０に保存し、モータ回転速度補正テーブルの作成処理を終了する。
【手続補正２】
【補正対象書類名】明細書
【補正対象項目名】００２６
【補正方法】変更
【補正の内容】
【００２６】
［感光ドラムの回転ムラの制御］
次に、感光ドラム１の回転ムラの制御について、タイミングチャートを用いて詳細に説明する。図５は、ドラムギアセンサ２７の検知信号、モータギアセンサ２８の検知信号、感光ドラム１の回転ムラ、モータ回転速度補正テーブルの内容を模式的に示したタイミングチャートであり、図５の横軸は時間軸を示している。図５において、「ドラムギアセンサ検知信号」は、ドラムギアセンサ２７において検知片２３が検知されたときに出力される検知信号を示したタイミングチャートであり、１〜２２の数字で示したパルスは検知信号を示し、数字は出力される検知信号の順番を示す。同様に、「モータギアセンサ検知信号」は、モータギアセンサ２８において検知片２５が検知されたときに出力される検知信号を示したタイミングチャートである。モータギア２４の歯数（２２歯）はドラムギア２２の歯数（６３歯）に比べて約３分の１程度である。その結果、図５より、ドラムギア２２が１回転する間（ドラムギアセンサ２７の検知信号と次の検知信号との間の時間）に、モータギア２４は約３回転（モータギアセンサ２８の検知信号が約３回出力）していることが分かる。また、Δｔ１〜Δｔ２２は、ドラムギアセンサ２７から検知信号１〜２２が出力された後、ドラムギアセンサ２７からの各検知信号に対応して、モータギアセンサ２８からの最初の検知信号が出力されるまでの時間差（位相差）を示している。
【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
画像内で対象が予め枠指定された当該枠内の主要オブジェクトと該主要オブジェクト以外の背景を、主要オブジェクトらしさを示す第１のヒストグラムの値が大きいほど値が小さくなるコスト項と、背景らしさを示す第２のヒストグラムの値が大きいほど値が小さくなるコスト項を含むエネルギー関数の最小化処理により、前記枠内の前記主要オブジェクトと前記背景を領域分割する画像領域分割装置であって、
前記枠の枠上の画素値ごと、前記枠の枠外の画素値ごと、および前記枠の枠内の画素値ごとの各ヒストグラムをそれぞれ、枠上ヒストグラム、枠外ヒストグラム、および枠内ヒストグラムとして算出するヒストグラム算出手段と、
前記枠上ヒストグラム、前記枠外ヒストグラム、および前記枠内ヒストグラムに基づいて、前記第１のヒストグラムの度数値と前記第２のヒストグラムの度数値の少なくともいずれかを更新するヒストグラム更新手段と、
を備えることを特徴とする画像領域分割装置。
【請求項２】
前記枠上ヒストグラムで度数値が第１の閾値に対して大きい画素値を特定画素値として抽出する特定画素値抽出手段を備え、
前記ヒストグラム更新手段は、前記特定画素値での度数値が前記枠外ヒストグラム上で第２の閾値に対して大きくかつ前記枠内ヒストグラム上で第３の閾値に対して小さい場合に、前記特定画素値において前記第２のヒストグラムの度数値が前記第１のヒストグラムの度数値に対して相対的に増加するように該２つの度数値の少なくともいずれかを更新することを特徴とする請求項１に記載の画像領域分割装置。
【請求項３】
前記ヒストグラム更新手段は、前記特定画素値での度数値が前記枠外ヒストグラム上で第２の閾値に対して大きくかつ前記枠内ヒストグラム上で第３の閾値に対して小さい場合に、前記特定画素値における前記第２のヒストグラムの度数値を、１よりも大きい倍数である所定数倍して更新する、
ことを特徴とする請求項２に記載の画像領域分割装置。
【請求項４】
前記ヒストグラム更新手段は、前記特定画素値での度数値が前記枠外ヒストグラム上で第２の閾値に対して大きくかつ前記枠内ヒストグラム上で第３の閾値に対して小さい場合に、前記特定画素値における前記第２のヒストグラムの度数値に０よりも大きい所定数を加算して更新する、
ことを特徴とする請求項２に記載の画像領域分割装置。
【請求項５】
前記第１のヒストグラムの初期値は、学習用の複数枚の前記主要オブジェクトを示す画像の前記画素値ごとのヒストグラムとして算出し、
前記第２のヒストグラムの初期値は、学習用の複数枚の前記背景を示す画像の前記画素値ごとのヒストグラムとして算出する、
ことを特徴とする請求項１ないし４のいずれかに記載の画像領域分割装置。
【請求項６】
前記エネルギー関数の最小化処理は、Ｇｒａｐｈ  Ｃｕｔｓ法により実行する、
ことを特徴とする請求項１ないし５のいずれかに記載の画像領域分割装置。
【請求項７】
画像内で対象が予め枠指定された当該枠内の主要オブジェクトと該主要オブジェクト以外の背景を、主要オブジェクトらしさを示す第１のヒストグラムの値が大きいほど値が小さくなるコスト項と、背景らしさを示す第２のヒストグラムの値が大きいほど値が小さくなるコスト項を含むエネルギー関数の最小化処理により、前記枠内の前記主要オブジェクトと前記背景を領域分割する画像領域分割方法であって、
前記枠の枠上の画素値ごと、前記枠の枠外の画素値ごと、および前記枠の枠内の画素値ごとの各ヒストグラムをそれぞれ、枠上ヒストグラム、枠外ヒストグラム、および枠内ヒストグラムとして算出するヒストグラム算出ステップと、
前記枠上ヒストグラム、前記枠外ヒストグラム、および前記枠内ヒストグラムに基づいて、前記第１のヒストグラムの度数値と前記第２のヒストグラムの度数値の少なくともいずれかを更新するヒストグラム更新ステップと、
を備えることを特徴とする画像領域分割方法。
【請求項８】
画像内で対象が予め枠指定された当該枠内の主要オブジェクトと該主要オブジェクト以外の背景を、主要オブジェクトらしさを示す第１のヒストグラムの値が大きいほど値が小さくなるコスト項と、背景らしさを示す第２のヒストグラムの値が大きいほど値が小さくなるコスト項を含むエネルギー関数の最小化処理により、前記枠内の前記主要オブジェクトと前記背景を領域分割する画像領域分割装置のコンピュータを、
前記枠の枠上の画素値ごと、前記枠の枠外の画素値ごと、および前記枠の枠内の画素値ごとの各ヒストグラムをそれぞれ、枠上ヒストグラム、枠外ヒストグラム、および枠内ヒストグラムとして算出するヒストグラム算出ステップと、
前記枠上ヒストグラム、前記枠外ヒストグラム、および前記枠内ヒストグラムに基づいて、前記第１のヒストグラムの度数値と前記第２のヒストグラムの度数値の少なくともいずれかを更新するヒストグラム更新ステップと、
して実行させるためのプログラム。
【手続補正２】
【補正対象書類名】明細書
【補正対象項目名】００１０
【補正方法】変更
【補正の内容】
【００１０】
態様の一例では、画像内で対象が予め枠指定された当該枠内の主要オブジェクトと該主要オブジェクト以外の背景を、主要オブジェクトらしさを示す第１のヒストグラムの値が大きいほど値が小さくなるコスト項と、背景らしさを示す第２のヒストグラムの値が大きいほど値が小さくなるコスト項を含むエネルギー関数の最小化処理により、前記枠内の前記主要オブジェクトと前記背景を領域分割する画像領域分割装置であって、前記枠の枠上の画素値ごと、前記枠の枠外の画素値ごと、および前記枠の枠内の画素値ごとの各ヒストグラムをそれぞれ、枠上ヒストグラム、枠外ヒストグラム、および枠内ヒストグラムとして算出するヒストグラム算出手段と、前記枠上ヒストグラム、前記枠外ヒストグラム、および前記枠内ヒストグラムに基づいて、前記第１のヒストグラムの度数値と前記第２のヒストグラムの度数値の少なくともいずれかを更新するヒストグラム更新手段とを備える。
【手続補正書】
【提出日】平成27年1月8日(2015.1.8)
【手続補正１】
【補正対象書類名】特許請求の範囲
【補正対象項目名】全文
【補正方法】変更
【補正の内容】
【特許請求の範囲】
【請求項１】
シャフトと、前記シャフトを環囲するスリーブと、を備えるべき軸受装置用の部品の製造方法であって、前記シャフトと、前記スリーブのうちの少なくとも一つをワークと呼ぶとき、本製造方法は、
前記ワークにフォトルミネセンス材料を防汚ポリーマーと同時に塗布すると共に、前記ワークに前記フォトルミネセンス材料を励起する励起光を照射して、前記ワークの前記フォトルミネセンス材料が塗布された領域の画像をカメラで画像信号に変換し、前記画像信号に基づいて、前記フォトルミネセンス材料の塗布状態を検出することを含むことを特徴とする軸受装置用の部品の製造方法。
【請求項２】
前記カメラは、前記ワークの周方向に連続的に前記フォトルミネセンス材料が塗布された領域の画像を取り込むことを特徴とする請求項１に記載の軸受装置用の部品の製造方法。
【請求項３】
前記カメラは、前記ワークを回転させながら前記ワークの前記フォトルミネセンス材料が塗布された領域の画像を取り込むことを特徴とする請求項１または２に記載の軸受装置用の部品の製造方法。
【請求項４】
前記カメラは、暗室内で前記ワークの前記フォトルミネセンス材料が塗布された領域の画像を取り込むことを特徴とする請求項１から３のいずれかに記載の軸受装置用の部品の製造方法。
【請求項５】
前記カメラは、清浄空気が満たされた空間内で前記ワークの前記フォトルミネセンス材料が塗布された領域の画像を取り込むことを特徴とする請求項１から４のいずれかに記載の軸受装置用の部品の製造方法。
【請求項６】
前記フォトルミネセンス材料はリン光体であることを特徴とする請求項１から５のいずれかに記載の軸受装置用の部品の製造方法。
【手続補正２】
【補正対象書類名】明細書
【補正対象項目名】発明の名称
【補正方法】変更
【補正の内容】
【発明の名称】軸受装置用部品の製造方法
【手続補正３】
【補正対象書類名】明細書
【補正対象項目名】０００１
【補正方法】変更
【補正の内容】
【０００１】
本発明は、フォトルミネセンス材料が塗布される軸受装置用部品の製造方法に関する。
【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
電子写真デバイスの中のイオン化発生空洞からオゾンを除去する方法であって、
前記イオン化発生空洞の中に位置決めされた少なくとも１つのイオン化発生放電デバイスを設けるステップと、
前記少なくとも１つのイオン化発生放電デバイスに接近した前記イオン化発生空洞の中で大気を加熱すると共に前記少なくとも１つのイオン化発生放電デバイスから離れかつ取り除かれた能動型オゾンスクラバを設けるステップと、
セラミックベースの上の誘電体の反対側の上側セットの導体及び下側セットの導体の低背構成の中に前記能動型オゾンスクラバを設けるステップと、
を含み、
前記能動型オゾンスクラバにより生成された熱は、前記能動型オゾンスクラバの前記上側セットの導体及び前記下側セットの導体にエネルギーを与えることだけによって生成される
方法。
【請求項２】
前記イオン化発生空洞の中にある電荷受容部材の周りに位置決めされた多数のイオン化発生放電デバイスを設けるステップを含む、請求項１に記載の方法。
【請求項３】
感光体を前記電荷受容部材として設けるステップを含む、請求項２に記載の方法。
【請求項４】
前記多数のイオン化発生放電デバイスの近くに前記能動型オゾンスクラバを多数位置させるステップを含む、請求項２に記載の方法。
【請求項５】
前記上側セットの導体のチャンネルの中にコロナを生成するために、前記能動型オゾンスクラバの前記下側セットの導体へ交流電圧を印加するステップを含む、請求項１に記載の方法。
【手続補正書】
【提出日】平成27年9月3日(2015.9.3)
【手続補正１】
【補正対象書類名】特許請求の範囲
【補正対象項目名】請求項１
【補正方法】変更
【補正の内容】
【請求項１】
冷熱消費器（Ｋ）を冷却する冷熱設備であって、
・単段または多段の圧縮機（Ｖ）を備え、該圧縮機（Ｖ）は、冷熱設備内で循環する冷媒を圧縮する機能を有し、
・少なくとも１つの熱交換器（Ｅ１，Ｅ２，Ｅ３，Ｅ４，Ｅ５）を備え、該熱交換器（Ｅ１，Ｅ２，Ｅ３，Ｅ４，Ｅ５）は、冷媒を冷却する機能を有し、
・少なくとも１つの放圧タービン（Ｘ，Ｘ’）を備え、該放圧タービン（Ｘ，Ｘ’）は、冷熱出力を形成するように冷媒を放圧する機能を有するものにおいて、
当該冷熱設備に対応して、液状の冷媒を貯蔵する機能を有する貯蔵装置が配置されているか、または当該冷熱設備に貯蔵装置が組み込まれていて、該貯蔵装置から少なくとも一時的に液状の冷媒（８）が冷熱回路に供給されるようになっていることを特徴とする、冷熱設備。
【手続補正２】
【補正対象書類名】明細書
【補正対象項目名】００２１
【補正方法】変更
【補正の内容】
【００２１】
圧縮機ユニットＶ内で最大回路圧に圧縮される冷媒は、ライン１を介して熱交換器Ｅ１を通ってガイドされ、熱交換器Ｅ１において冷媒（向流）に対して冷却される。冷媒の主流れがライン２を介して熱交換器Ｅ２，Ｅ３を通ってガイドされ、熱交換器Ｅ２，Ｅ３において冷媒に対して冷却されるのに対して、冷媒の部分流れは、ライン３を介して第１の放圧タービンＸに供給され、第１の放圧タービンＸ内で冷熱出力を形成するように放圧される。放圧された冷媒部分流れは、次いでライン３’を介して、加熱したい冷媒流れ１２に提供される（冷媒流れについては後述する）。
【手続補正３】
【補正対象書類名】明細書
【補正対象項目名】００２２
【補正方法】変更
【補正の内容】
【００２２】
前述の冷媒２の主流れは、第２の放圧タービンＸ’内で冷熱出力を形成するように放圧され、次いでライン４を介して熱交換器Ｅ４，Ｅ５を通ってガイドされ、熱交換器Ｅ４，Ｅ５において冷媒に対して所望の最低の回路温度に冷却される。熱交換器Ｅ５を通過したあとで、冷媒流れは、ライン５を介して、略示した冷熱消費器Ｋに供給される。冷熱消費器Ｋでは、冷媒に所定の熱が供給され、したがって冷媒温度が大幅に上昇する。
【手続補正書】
【提出日】平成27年7月2日(2015.7.2)
【手続補正１】
【補正対象書類名】特許請求の範囲
【補正対象項目名】請求項１
【補正方法】変更
【補正の内容】
【請求項１】
チャンバ本体を包囲するチャンバ蓋を有するチャンバ本体と、
チャンバ本体内に配置され、基板支持面を有する基板支持アセンブリと、
基板支持面内に形成された１以上の窓と、
第１信号をパルスするように構成された第１信号発生器であって、第１信号発生器は基板支持アセンブリを通って１以上の窓に光結合され、これによってパルス信号が１以上の窓を透過可能である第１信号発生器と、
第１信号発生器から１以上の窓を透過したエネルギーを受信するように配置され、透過率を示す計量値を検出するように構成される第１センサと、
基板支持面上に配置される基板を透過する第１信号からの透過率の変化を判定するようにプログラミングされた計算装置を含み、
計算装置は、（ａ）第１信号がオフにパルスされたときに、基板を透過する透過率を表す値を、（ｂ）第１信号がオンにパルスされたときに、第１信号から基板を透過する透過率を表す値から減算し、
計算装置は、基板の温度を決定する、エッチングプロセス中に基板温度を測定するための装置。
【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
前面側に所定の遊技領域が形成された遊技盤を収容保持する枠部材と、
前記枠部材の後面側に設けられて遊技球を払い出す払出装置と、
前記払出装置から払い出された遊技球が通過する球通路と、
前記球通路を通過した遊技球を貯留する球皿と、
前記払出装置による遊技球の払い出しを制御する制御手段と、を備える弾球遊技機であって、
前記払出装置は、
上側の球受容口から受け入れられた遊技球が通過する第１案内通路、及び遊技球を下側の球払出口へ案内して通過させる第２案内通路が形成されたケース部材と、
遊技球を受容可能な凹状の球受容凹部を有して前記第１案内通路と前記第２案内通路との間に回転可能に配設され、前記第１案内通路内の遊技球を１球ずつ前記球受容凹部に受容して前記第２案内通路に送り出す球送り部材と、
前記球送り部材を回転駆動する駆動手段と、
前記第１案内通路内の遊技球を当該第１案内通路から分岐して形成された球抜き通路を通じて機外へ排出させる球抜き機構と、
前記球送り部材により送り出される遊技球を検出するカウントセンサとを備え、
前記球送り部材は、回転軸周り等間隔に設けられた３つの球案内凸部と、互いに隣り合う前記球案内凸部同士の間に設けられた３つの前記球受容凹部とを有して、前記球案内凸部と前記球受容凹部とが回転方向に沿って繋がって形成されており、
前記第１案内通路は、上流側から下流側へ向けて前記球送り部材に接近するほど蛇行幅が小さくなる蛇行状に湾曲形成され、
前記球抜き機構は、前記球抜き通路の少なくとも一部を閉鎖して前記球抜き通路への遊技球の排出を不能とする閉鎖位置と前記球抜き通路を開放して前記球抜き通路への遊技球の排出を可能とする開放位置との間で移動可能に設けられた球抜き部材と、前記球抜き部材を前記閉鎖位置に保持する第１位置と前記球抜き部材を前記閉鎖位置から前記開放位置へ移動可能とする第２位置との間で移動可能に設けられた操作部材とを有し、
前記球抜き部材は、前記操作部材が前記第１位置にある場合、前記球送り部材の前記回転軸よりも上方において前記閉鎖位置に保持されて、前記球送り部材を回転させたときに当該球抜き部材の先端部と前記球送り部材の前記球案内凸部とが前記回転軸方向に重なり得るようになっており、
前記球送り部材のいずれかの前記球案内凸部が前記回転軸の上方となる所定の位置にあるときにおいて、前記操作部材が前記第１位置にある場合は、前記第１案内通路内の先頭の遊技球が前記回転軸の上方において前記球送り部材の前記いずれかの球案内凸部と前記球抜き部材とに跨って当接保持され、前記操作部材が前記第２位置にある場合は、前記先頭の遊技球による球圧によって前記球抜き部材が前記開放位置へ押圧されることで、前記先頭の遊技球と前記球抜き部材との当接が解かれて前記先頭の遊技球が前記球抜き通路へ導かれることを特徴とする弾球遊技機。
【手続補正２】
【補正対象書類名】明細書
【補正対象項目名】０００８
【補正方法】変更
【補正の内容】
【０００８】
ところで、近年のパチンコ遊技機においては、球抜き処理時に遊技球がスプロケット上に１球も残存しない構造が求められている。
【手続補正３】
【補正対象書類名】明細書
【補正対象項目名】０００９
【補正方法】変更
【補正の内容】
【０００９】
本発明は、このような課題に鑑みてなされたものであり、球抜き処理時に遊技球が球送り部材上に残存しない弾球遊技機を提供することを目的とする。
【手続補正４】
【補正対象書類名】明細書
【補正対象項目名】００１０
【補正方法】変更
【補正の内容】
【００１０】
このような目的達成のために、本発明に係る弾球遊技機は、前面側に所定の遊技領域が形成された遊技盤を収容保持する枠部材（例えば、実施形態における前枠２）と、枠部材の後面側に設けられて遊技球を払い出す払出装置（例えば、実施形態における賞球払出ユニット４０）と、払出装置から払い出された遊技球が通過する球通路（例えば、実施形態における賞球通路３５ａ）と、球通路を通過した遊技球を貯留する球皿と、払出装置による遊技球の払い出しを制御する制御手段（例えば、実施形態における払出制御基板２０００）と、を備える弾球遊技機であって、払出装置は、上側の球受容口から受け入れられた遊技球が通過する第１案内通路（例えば、実施形態における待機通路４７）、及び遊技球を下側の球払出口へ案内して通過させる第２案内通路（例えば、実施形態における払出通路４８）が形成されたケース部材（例えば、実施形態におけるユニットケース４１）と、遊技球を受容可能な凹状の球受容凹部を有して第１案内通路と第２案内通路との間に回転可能に配設され、第１案内通路内の遊技球を１球ずつ球受容凹部に受容して第２案内通路に送り出す球送り部材（例えば、実施形態におけるスプロケット７０）と、球送り部材を回転駆動する駆動手段（例えば、実施形態における払出モータ８０）と、第１案内通路内の遊技球を当該第１案内通路から分岐して形成された球抜き通路を通じて機外へ排出させる球抜き機構と、球送り部材により送り出される遊技球を検出するカウントセンサとを備え、球送り部材は、回転軸周り等間隔に設けられた３つの球案内凸部と、互いに隣り合う球案内凸部同士の間に設けられた３つの球受容凹部とを有して、球案内凸部と球受容凹部とが回転方向に沿って繋がって形成されており、第１案内通路は、上流側から下流側へ向けて球送り部材に接近するほど蛇行幅が小さくなる蛇行状に湾曲形成され、球抜き機構は、球抜き通路の少なくとも一部を閉鎖して球抜き通路への遊技球の排出を不能とする閉鎖位置と球抜き通路を開放して球抜き通路への遊技球の排出を可能とする開放位置との間で移動可能に設けられた球抜き部材と、球抜き部材を閉鎖位置に保持する第１位置と球抜き部材を閉鎖位置から開放位置へ移動可能とする第２位置との間で移動可能に設けられた操作部材とを有し、球抜き部材は、操作部材が第１位置にある場合、球送り部材の回転軸よりも上方において閉鎖位置に保持されて、球送り部材を回転させたときに当該球抜き部材の先端部と球送り部材の球案内凸部とが回転軸方向に重なり得るようになっており、球送り部材のいずれかの球案内凸部が回転軸の上方となる所定の位置にあるときにおいて、操作部材が第１位置にある場合は、第１案内通路内の先頭の遊技球が回転軸の上方において球送り部材の上記いずれかの球案内凸部と球抜き部材とに跨って当接保持され、操作部材が第２位置にある場合は、先頭の遊技球による球圧によって球抜き部材が開放位置へ押圧されることで、先頭の遊技球と球抜き部材との当接が解かれて先頭の遊技球が球抜き通路へ導かれることを特徴とする。
【手続補正５】
【補正対象書類名】明細書
【補正対象項目名】００１１
【補正方法】変更
【補正の内容】
【００１１】
本発明に係る弾球遊技機によれば、球抜き処理時に遊技球が球送り部材上に１球も残存しない構造を実現できる。
【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
遊技盤に設けられた始動口への入球に起因して小当りを生起するか否かの当否判定を行う当否判定手段と、
前記判定の結果が小当りであれば、図柄表示装置に前記判定の結果を報知するために確定表示せしめる特別図柄として予め準備された複数の図柄より小当り図柄を決定せしめる図柄決定手段と、
前記小当り図柄の確定表示後に前記小当り図柄に応じて大入賞口の開放パターンを異ならせた所定の態様にて開閉作動する大入賞口と、
該大入賞口内に設置されて遊技球が入球可能な特定領域と、
前記小当り図柄に応じて前記特定領域への入球条件を設定する条件設定手段と、
前記入球条件の成立により大当り遊技を生起せしめる大当り遊技実行手段と、
前記特定領域への入球に起因して乱数を抽出する乱数抽出手段と、
前記乱数と前記小当り図柄に応じて大当り遊技の遊技内容又は／および大当り遊技終了後に付与する特典遊技を決定する遊技設定手段と、を具備し、
前記大当り遊技実行手段は、前記遊技設定手段により決定された大当り遊技の遊技内容に基づいて大当り遊技を行ない、決定された特典遊技を大当り遊技終了後に付与することを特徴とする弾球遊技機。
【手続補正２】
【補正対象書類名】明細書
【補正対象項目名】０００７
【補正方法】変更
【補正の内容】
【０００７】
請求項１に記載の発明は、遊技盤に設けられた始動口への入球に起因して小当りを生起するか否かの当否判定を行う当否判定手段と、
前記判定の結果が小当りであれば、図柄表示装置に前記判定の結果を報知するために確定表示せしめる特別図柄として予め準備された複数の図柄より小当り図柄を決定せしめる図柄決定手段と、
前記小当り図柄の確定表示後に前記小当り図柄に応じて大入賞口の開放パターンを異ならせた所定の態様にて開閉作動する大入賞口と、
該大入賞口内に設置されて遊技球が入球可能な特定領域と、
前記小当り図柄に応じて前記特定領域への入球条件を設定する条件設定手段と、
前記入球条件の成立により大当り遊技を生起せしめる大当り遊技実行手段と、
前記特定領域への入球に起因して乱数を抽出する乱数抽出手段と、
前記乱数と前記小当り図柄に応じて大当り遊技の遊技内容又は／および大当り遊技終了後に付与する特典遊技を決定する遊技設定手段と、を具備し、
前記大当り遊技実行手段は、前記遊技設定手段により決定された大当り遊技の遊技内容に基づいて大当り遊技を行ない、決定された特典遊技を大当り遊技終了後に付与するように構成する。
【手続補正３】
【補正対象書類名】明細書
【補正対象項目名】０００８
【補正方法】変更
【補正の内容】
【０００８】
これによれば、小当り図柄に応じて大当りを生起するための特定領域への入球条件が変化するので、大当りを生起するバリエーションが豊富で、従来のように遊技が単調とならず遊技の興趣を豊かにできる。
また、特定領域への入球時に抽出された乱数と小当り図柄とに応じて、大当り遊技の遊技内容や大当り遊技後の特典遊技が変化するようにしたので、大当りへの移行の難易度が同一種類の小当りであっても遊技内容および特典遊技の異なる複数種類の大当りに移行させることができ、大当りへの移行のバリエーションが更に増す。
さらに、大当りを生起させる難易度に関係するパラメータを、特定領域への入球条件に加えて大入賞口の開放時間も関与させ、よりバリエーションの豊富な遊技を提供することができる。
【手続補正４】
【補正対象書類名】明細書
【補正対象項目名】０００９
【補正方法】変更
【補正の内容】
【０００９】
また、請求項１に記載の弾球遊技機において、
抽出された前記乱数を記憶する記憶手段と、
前記特定領域への所定数の設定が複数個である場合に、先に抽出された乱数が後に抽出された乱数に比べて実行される大当り遊技の遊技内容および前記特典遊技が不利であるか又は有利であるかに応じて前記記憶手段による乱数の記憶を変更せしめる記憶変更手段を具備する構成としてもよい。
【手続補正５】
【補正対象書類名】明細書
【補正対象項目名】００１０
【補正方法】変更
【補正の内容】
【００１０】
このようにすれば、特定領域への入球時に抽出された複数のうちで最も大当り遊技の遊技内容および特典遊技が有利な乱数を用いて価値の大きな大当り遊技を設定することが可能となる。このようにすることで、入球条件としての特定領域への入球数が多い程に大当りの生起が困難となるが、大当りを生起させる難易度が高くなっても価値の大きな大当り遊技の生起を期待させることができ、遊技者の遊技意欲を向上させることができる。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
遊技盤に設けられた始動口への入球に起因して小当りを生起するか否かの当否判定を行う当否判定手段と、
前記判定の結果が小当りであれば、図柄表示装置に前記判定の結果を報知するために確定表示せしめる特別図柄として予め準備された複数の図柄より小当り図柄を決定せしめる図柄決定手段と、
前記小当り図柄の確定表示後に所定の態様にて開閉作動する大入賞口と、
該大入賞口内に設置されて遊技球が入球可能な第１の特定領域と、該第１の特定領域よりも入球が困難な第２の特定領域と、
前記小当り図柄に応じて前記第１の特定領域又は第２の特定領域を設定する条件設定手段と、
前記入球条件の成立により大当り遊技を生起せしめる大当り遊技実行手段と、
前記条件設定手段により設定された第１の特定領域又は第２の特定領域への入球に起因して乱数を抽出する乱数抽出手段と、
前記乱数と前記小当り図柄に応じて大当り遊技の遊技内容又は／および大当り遊技終了後に付与する特典遊技を決定する遊技設定手段と、を具備し、
前記大当り遊技実行手段は、前記遊技設定手段により決定された大当り遊技の遊技内容に基づいて大当り遊技を行ない、決定された特典遊技を大当り遊技終了後に付与することを特徴とする弾球遊技機。
【手続補正２】
【補正対象書類名】明細書
【補正対象項目名】０００７
【補正方法】変更
【補正の内容】
【０００７】
請求項１に記載の発明は、遊技盤に設けられた始動口への入球に起因して小当りを生起するか否かの当否判定を行う当否判定手段と、
前記判定の結果が小当りであれば、図柄表示装置に前記判定の結果を報知するために確定表示せしめる特別図柄として予め準備された複数の図柄より小当り図柄を決定せしめる図柄決定手段と、
前記小当り図柄の確定表示後に所定の態様にて開閉作動する大入賞口と、
該大入賞口内に設置されて遊技球が入球可能な第１の特定領域と、該第１の特定領域よりも入球が困難な第２の特定領域と、
前記小当り図柄に応じて前記第１の特定領域又は第２の特定領域を設定する条件設定手段と、
前記入球条件の成立により大当り遊技を生起せしめる大当り遊技実行手段と、
前記条件設定手段により設定された第１の特定領域又は第２の特定領域への入球に起因して乱数を抽出する乱数抽出手段と、
前記乱数と前記小当り図柄に応じて大当り遊技の遊技内容又は／および大当り遊技終了後に付与する特典遊技を決定する遊技設定手段と、を具備し、
前記大当り遊技実行手段は、前記遊技設定手段により決定された大当り遊技の遊技内容に基づいて大当り遊技を行ない、決定された特典遊技を大当り遊技終了後に付与する構成とする。
【手続補正３】
【補正対象書類名】明細書
【補正対象項目名】０００８
【補正方法】変更
【補正の内容】
【０００８】
これによれば、入球率の異なる第１および第２からなる複数の特定領域を設け、小当りから大当りへ移行するための特定領域への入球条件を、小当り生起時の小当り図柄に応じて設定された第１、第２のいずれか一方の特定領域への入球を条件としたので、小当り図柄に応じて入球条件が変化し、大当りが生起しやすい小当りと、大当りが生起し難い小当りとを設けることができ、小当りから大当りへの移行のバリエーションが豊富で、従来のように遊技が単調とならず遊技の興趣を豊かにできる。
また、特定領域への入球時に抽出された乱数と小当り図柄とに応じて、大当り遊技の遊技内容や大当り遊技後の特典遊技が変化するようにしたので、大当りへの移行の難易度が同一種類の小当りであっても遊技内容および特典遊技の異なる複数種類の大当りに移行させることができ、大当りへの移行のバリエーションが更に増す。更に、何れの特定領域へ入球するかといった遊技の帰趨を遊技者に視認させることによって緊迫感を向上させることができる。
【手続補正４】
【補正対象書類名】明細書
【補正対象項目名】０００９
【補正方法】変更
【補正の内容】
【０００９】
また、請求項１に記載の弾球遊技機において、
前記第２の特定領域への入球を前記入球条件とする場合、前記第１の特定領域への入球を条件とする時よりも小当りにおける大入賞口の開放時間を長くせしめるように構成してもよい。
【手続補正５】
【補正対象書類名】明細書
【補正対象項目名】００１０
【補正方法】変更
【補正の内容】
【００１０】
このようにすれば、各特定領域の入球率の差異を大入賞口の開放時間によって補うことができ、入球条件として入球率の低い特定領域が選択された場合であっても遊技者の期待感を損なわない。
【手続補正書】
【提出日】平成27年7月8日(2015.7.8)
【手続補正１】
【補正対象書類名】特許請求の範囲
【補正対象項目名】全文
【補正方法】変更
【補正の内容】
【特許請求の範囲】
【請求項１】
Ｘ線を発生するＸ線管と、
前記Ｘ線管から発生され被検体を透過したＸ線を検出するＸ線検出器と、
前記Ｘ線管からのＸ線の照射野を限定するための開口可変の絞り機構と、
前記絞り機構の開口が第１の開口である期間において前記Ｘ線検出器の出力に基づいて第１のＸ線画像を繰り返し生成し、前記絞り機構の開口が前記第１の開口よりも狭い第２の開口である期間において前記Ｘ線検出器の出力に基づいて第２のＸ線画像を繰り返し生成する画像生成部と、
前記第２のＸ線画像が発生される毎に、前記繰り返し生成される第２のＸ線画像のうちの最新の第２のＸ線画像を前記繰り返し生成される第１のＸ線画像のうちの特定の第１のＸ線画像とともに動画として表示する表示部と、
ＲＯＩ内透視モードのＯＮとＯＦＦとを切り替えるための入力部と、
前記入力部によって前記ＲＯＩ内透視モードがＯＮに切り替えられる毎に、前記第１のＸ線画像を更新するために、前記絞り機構を制御して前記絞り機構の開口を前記第２の開口から前記第１の開口に拡大させる制御部と、
を具備するＸ線診断装置。
【請求項２】
前記入力部は、操作者の足によって操作されるフットスイッチ部に設けられる請求項１記載のＸ線診断装置。
【請求項３】
前記制御部は、前記入力部によって前記ＲＯＩ内透視モードがＯＮになり前記絞り機構を制御して前記第１の開口に拡大させた所定時間後に、自動的に前記絞り機構を前記第２の開口に縮小させる制御を行う請求項２記載のＸ線診断装置。
【請求項４】
前記フットスイッチ部は、透視モードによって前記Ｘ線を発生させる透視スイッチと、前記透視モードと比べて高線量にて前記Ｘ線を発生させる撮影スイッチとを具備する請求項３記載のＸ線診断装置。
【請求項５】
前記第１のＸ線画像及び前記第２のＸ線画像は透視画像であり、
前記動画は、リアルタイムに表示される請求項１乃至３いずれか一項に記載のＸ線診断装置。
【手続補正２】
【補正対象書類名】明細書
【補正対象項目名】０００７
【補正方法】変更
【補正の内容】
【０００７】
本実施形態に係るＸ線診断装置は、Ｘ線を発生するＸ線管と、前記Ｘ線管から発生され被検体を透過したＸ線を検出するＸ線検出器と、前記Ｘ線管からのＸ線の照射野を限定するための開口可変の絞り機構と、前記絞り機構の開口が第１の開口である期間において前記Ｘ線検出器の出力に基づいて第１のＸ線画像を繰り返し生成し、前記絞り機構の開口が前記第１の開口よりも狭い第２の開口である期間において前記Ｘ線検出器の出力に基づいて第２のＸ線画像を繰り返し生成する画像生成部と、前記第２のＸ線画像が発生される毎に、前記繰り返し生成される第２のＸ線画像のうちの最新の第２のＸ線画像を前記繰り返し生成される第１のＸ線画像のうちの特定の第１のＸ線画像とともに動画として表示する表示部と、ＲＯＩ内透視モードのＯＮとＯＦＦとを切り替えるための入力部と、前記入力部によって前記ＲＯＩ内透視モードがＯＮに切り替えられる毎に、前記第１のＸ線画像を更新するために、前記絞り機構を制御して前記絞り機構の開口を前記第２の開口から前記第１の開口に拡大させる制御部と、を具備する。
【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
複数の光から分かれた複数の測定光を照射した被検査物からの複数の戻り光と、該複数の光から分かれ且つ該複数の測定光にそれぞれ対応する複数の参照光とを合波した複数の合波光に基づいて該被検査物の断層画像を取得する光断層画像撮像装置であって、
前記複数の光を発生させる光源部と、
前記光源部を格納する光源格納部と、
前記複数の参照光の光路の一部を格納し且つ前記光源格納部の側面に離間して設けられた参照格納部と、
を有することを特徴とする光断層画像撮像装置。
【請求項２】
前記複数の測定光を前記被検査物で走査する走査手段を格納する測定格納部を有し、
前記光源格納部が、前記測定格納部の上部に設けられることを特徴とする請求項１に記載の光断層画像撮像装置。
【請求項３】
前記複数の参照光の光路で且つ前記参照格納部の外の光路に設けられた参照光ファイバと、
前記複数の測定光の光路で且つ前記測定格納部の外の光路に設けられた測定光ファイバと、
前記測定格納部の側面に設けられ、前記参照光ファイバと前記測定光ファイバとを格納するファイバ格納部と、
を有することを特徴とする請求項２に記載の光断層画像撮像装置。
【請求項４】
前記複数の合波光を検出する検出手段を格納する検出格納部と、
前記複数の合波光の光路で且つ前記検出格納部の外の光路に設けられた合波光ファイバと、を有し、
前記ファイバ格納部が、前記合波光ファイバの少なくとも一部を格納することを特徴とする請求項３に記載の光断層画像撮像装置。
【請求項５】
前記複数の参照光の光路で且つ前記参照格納部に格納された光路にそれぞれ設けられた複数の分散補償用ガラスを有することを特徴とする請求項１乃至４のいずれか１項に記載の光断層画像撮像装置。
【請求項６】
前記複数の参照光の光路で且つ前記参照格納部に格納された光路にそれぞれ設けられた複数の光量変更手段を有することを特徴とする請求項１乃至５のいずれか１項に記載の光断層画像撮像装置。
【請求項７】
前記複数の参照光の光軸の間の距離は、前記複数の光量変更手段の径または辺の長さよりも小さく、
前記複数の光量変更手段はそれぞれ、前記参照光の光軸方向に互いに接触しないように位置をずらして設けられることを特徴とする請求項６に記載の光断層画像撮像装置。
【請求項８】
前記複数の光量変更手段それぞれにおける前記複数の参照光の入射面は、前記複数の参照光それぞれの光軸に対して垂直な面より傾けて設けられることを特徴とする請求項６あるいは７に記載の光断層画像撮像装置。
【請求項９】
前記複数の参照光の偏光と前記複数の測定光の偏光とをそれぞれ調整する複数の偏光調整手段を有することを特徴とする請求項１乃至８のいずれか１項に記載の光断層画像撮像装置。
【請求項１０】
前記光源部が、前記複数の光をそれぞれ発生させる複数の光源を有することを特徴とする請求項１乃至９のいずれか１項に記載の光断層画像撮像装置。
【請求項１１】
光源から発生した光から分かれた測定光を照射した被検査物からの戻り光と、該光源からの光から分かれ且つ該測定光に対応する参照光とを合波した合波光に基づいて該被検査物の断層画像を取得する光断層画像撮像装置であって、
前記光源を格納する光源格納部と、
前記参照光の光路の一部を格納し且つ前記光源格納部の側面に離間して設けられた参照格納部と、
を有することを特徴とする光断層画像撮像装置。
【請求項１２】
前記測定光を前記被検査物で走査する走査手段を格納する測定格納部を有し、
前記光源格納部が、前記測定格納部の上部に設けられることを特徴とする請求項１１に記載の光断層画像撮像装置。
【請求項１３】
前記参照光の光路で且つ前記参照格納部の外の光路に設けられた参照光ファイバと、
前記測定光の光路で且つ前記測定格納部の外の光路に設けられた測定光ファイバと、
前記測定格納部の側面に設けられ、前記参照光ファイバと前記測定光ファイバとを格納するファイバ格納部と、
を有することを特徴とする請求項１２に記載の光断層画像撮像装置。
【請求項１４】
前記合波光を検出する検出手段と、
前記検出手段を格納する検出格納部と、
前記合波光の光路で且つ前記検出格納部の外の光路に設けられた合波光ファイバと、を有し、
前記ファイバ格納部が、前記合波光ファイバの少なくとも一部を格納することを特徴とする請求項１３に記載の光断層画像撮像装置。
【請求項１５】
光源から発生した光から分かれた測定光を照射した被検査物からの戻り光と、該光源からの光から分かれ且つ該測定光に対応する参照光とを合波した合波光に基づいて該被検査物の断層画像を取得する光断層画像撮像装置であって、
前記測定光を前記被検査物で走査する走査手段を格納する測定格納部と、
前記光源を格納し且つ前記測定格納部の上部に設けられた光源格納部と、
前記参照光の光路の一部を格納し且つ前記光源格納部に離間して設けられた参照格納部と、
を有することを特徴とする光断層画像撮像装置。
【請求項１６】
前記参照光の光路で且つ前記参照格納部の外の光路に設けられた参照光ファイバと、
前記測定光の光路で且つ前記測定格納部の外の光路に設けられた測定光ファイバと、
前記参照光ファイバと前記測定光ファイバとを格納するファイバ格納部と、
を有することを特徴とする請求項１５に記載の光断層画像撮像装置。
【請求項１７】
前記合波光を検出する検出手段を格納する検出格納部と、
前記合波光の光路で且つ前記検出格納部の外の光路に設けられた合波光ファイバと、を有し、
前記ファイバ格納部が、前記合波光ファイバの少なくとも一部を格納することを特徴とする請求項１３に記載の光断層画像撮像装置。
【請求項１８】
前記光源格納部と前記参照格納部との間に設けられた離間部材を有することを特徴とする請求項１乃至１７のいずれか１項に記載の光断層画像撮像装置。